(57)【要約】      （修正有）【課題】乱流部を有するゴルフクラブヘッド、および乱流部を有するゴルフクラブヘッドの製造方法を提供する。【解決手段】ゴルフクラブヘッド１００は乱流部３００を有する。乱流部３００は、境界層中に乱流を発生させることにより、クラウン上の境界層に対してエネルギー付与する。乱流部３００は、前縁１１２の下流側に一定のまたは可変の距離３０１をおいてクラウン上に配置され、ホーゼル１１４またはヒール端部１０４からトウ端部１０６にかけて延在し得る。乱流部３００は、クラウンの表面上に断続的または連続的な形態で、所定高さの複数の突出表面を形成する。クラウンを越えて流れる空気が、乱流部３００の突出表面に直面すると、この空気は、妨害され、境界層内部の乱流となって、境界層に対してエネルギー付与する。【選択図】図４
2019111369.tif 000002
【特許請求の範囲】
【請求項１】
フェース、前記フェースに対向する後方部、ヒール、前記ヒールに対向するトウ、前記フェースと前記後方部と前記ヒールと前記トウとの間に延在するクラウン表面を有するクラウン、および前記クラウンに対向し、前記フェースと前記後方部と前記ヒールと前記トウとの間に延在するソール表面を有するソールであって、前記クラウンの前記表面上の最高点が頂点を画定する、前記ソールと、
前記クラウンの前記表面から突出する複数のクラウン乱流部であって、各隣接対のクラウン乱流部は、それぞれ独立し相互に離間されることにより、前記隣接対のクラウン乱流部間にスペースを画定し、各クラウン乱流部は、前記ヒールと前記トウとの間において延在して幅を画定し、前記フェースと前記後方部との間において延在して長さを画定する、前記複数のクラウン乱流部と、を備え、
前記長さは、前記幅よりも実質的に大きく、
少なくとも１つのクラウン乱流部の少なくとも一部分は、前記フェースと前記頂点との間に位置し、
各隣接する一対のクラウン乱流部間の前記スペースは、前記スペースを画定する前記隣接する一対のクラウン乱流部のそれぞれの前記幅よりも実質的に大きい、ゴルフクラブヘッド。
【請求項２】
前記複数の乱流部は、フェースに対して、ほぼ第１の方向に配向された第１の複数の乱流部と、前記フェースに対して前記第１の方向とは異なるほぼ第２の方向に配向された第２の複数の乱流部とを備える、請求項１に記載のゴルフクラブ。
【請求項３】
前記複数の乱流部は、前記フェースに対してほぼ同一方向に配向される、請求項１に記載のゴルフクラブ。
【請求項４】
各乱流部は、前記フェースに対して、ほぼ第１の方向に配向され、隣接する乱流部は、前記フェースに対して前記第１の方向とは異なるほぼ第２の方向に配向される、請求項１に記載のゴルフクラブ。
【請求項５】
各乱流部の前記長さは、前記フェースに対して０°超かつ９０°未満の角度で配向される、請求項１に記載のゴルフクラブ。
【請求項６】
各乱流部の前記長さは、前記フェースに対して約２０°〜約７０°の角度で配向される、請求項１に記載のゴルフクラブ。
【請求項７】
各隣接対の乱流部間の前記スペースは、前記クラウンの前記表面の一部により画定される、請求項１に記載のゴルフクラブ。
【請求項８】
前記ソール表面上に配設された複数のソール乱流部をさらに備える、請求項１に記載のゴルフクラブヘッド。
【請求項９】
前記ソール乱流部はそれぞれ、幅および前記幅よりも実質的に大きな長さを有する前記ソール表面中の溝によって画定される、請求項８に記載のゴルフクラブヘッド。
【請求項１０】
前記ソール乱流部の中の少なくとも１つは、前記ヒールと前記フェースの中心から前記後方部にかけて延在する正中線との間の前記ソール表面の一部分に配置される、請求項８に記載のゴルフクラブヘッド。
【請求項１１】
前記少なくとも１つのソール乱流部は、前記ヒールの付近に位置し、ほぼ前記トウの方向に第２の端部まで延在する、第１の端部を有する、請求項１０に記載のゴルフクラブヘッド。
【請求項１２】
前記ソール乱流部の中の少なくとも１つは、前記トウと前記フェースの中心から前記後方部にかけて延在する正中線との間の前記ソール表面の一部分に配置される、請求項８に記載のゴルフクラブヘッド。
【請求項１３】
前記少なくとも１つのソール乱流部は、前記フェースまたは前記トウの付近に位置し、ほぼ前記トウの方向に第２の端部まで延在する、第１の端部を有する、請求項１２に記載のゴルフクラブヘッド。
【請求項１４】
フェース、前記フェースに対向する後方部、ヒール、前記ヒールに対向するトウ、前記フェースと前記後方部と前記ヒールと前記トウとの間において延在するクラウン表面を有するクラウン、および前記クラウンに対向し、前記フェースと前記後方部と前記ヒールと前記トウとの間に延在するソール表面を有するソールと、
前記ヒールと前記フェースの中心から前記後方部まで延在する正中線との間の前記ソール表面の一部分に配設された溝により画定される、第１の複数のソール乱流部であって、前記第１の複数のソール乱流部の中の少なくとも１つのソール乱流部は、前記ヒールの付近からほぼ前記トウに向かう方向に延在する、前記第１の複数のソール乱流部と、
前記トウと前記ソール表面上の正中線との間の前記ソール表面の一部分に配設された溝により画定される、第２の複数のソール乱流部であって、前記第２の複数のソール乱流部の中の少なくとも１つのソール乱流部は、前記フェースまたは前記トウの付近からほぼ前記後方部に向かう方向に延在する、前記第２の複数のソール乱流部と
を備える、ゴルフクラブヘッド。
【請求項１５】
前記クラウン上に配設された複数のクラウン乱流部をさらに備える、請求項１４に記載のゴルフクラブヘッド。
【請求項１６】
少なくとも１つのクラウン乱流部の少なくとも一部分が、前記フェースと前記クラウンの前記表面上の最高点により画定される頂点との間に配置される、請求項１５に記載のゴルフクラブヘッド。
【請求項１７】
各隣接対のクラウン乱流部が、それぞれ独立し相互に離間されることにより、前記隣接対のクラウン乱流部間にスペースを画定し、各スペースは、前記スペースを画定する前記隣接対のクラウン乱流部のそれぞれの幅よりも実質的に大きい、請求項１５に記載のゴルフクラブヘッド。
【請求項１８】
前記複数の第１のソール乱流部のそれぞれは、第１の端部および第２の端部を備え、前記第１の端部は、前記ヒールと同一の一般的方向に延在する線を画定する、請求項１４に記載のゴルフクラブヘッド。
【請求項１９】
前記第１の複数のソール乱流部または前記第２の複数のソール乱流部の中の少なくとも１つのソール乱流部の幅は、前記少なくとも１つのソール乱流部の長さに沿って変化する、請求項１４に記載のゴルフクラブヘッド。
【請求項２０】
前記第１の複数のソール乱流部または前記第２の複数のソール乱流部の中の少なくとも２つのソール乱流部の長さが異なる、請求項１４に記載のゴルフクラブヘッド。
【請求項２１】
前記複数の第１のソール乱流部または前記複数の第２のソール乱流部の中の少なくとも２つのソール乱流部は、ほぼ平行である、請求項１４に記載のゴルフクラブヘッド。
【請求項２２】
前記複数の第１のソール乱流部または前記複数の第２のソール乱流部の中の少なくとも２つのソール乱流部は、ほぼ非平行である、請求項１４に記載のゴルフクラブヘッド。
【請求項２３】
前記複数の第１のソール乱流部の長さは、前記ヒールから前記トウにかけて延在する方向に漸増する、請求項１４に記載のゴルフクラブヘッド。
【請求項２４】
前記複数の第２のソール乱流部の長さは、前記フェースまたは前記トウから前記後方部にかけて延在する方向に漸増する、請求項１４に記載のゴルフクラブヘッド。
【請求項２５】
クラブヘッド上に乱流部を設けるための方法であって、
フェース、前記フェースに対向する後方部、ヒール、前記ヒールに対向するトウ、前記フェースと前記後方部と前記ヒールと前記トウとの間において延在するクラウン表面を有するクラウン、および前記クラウンに対向し、前記フェースと前記後方部と前記ヒールと前記トウとの間に延在するソール表面を有するソールを備えるクラブヘッドを準備するステップであって、前記クラウンの前記表面上の最高点が頂点を画定する、ステップと、
前記クラウンの前記表面から突出する複数のクラウン乱流部を形成するステップであって、各隣接する一対のクラウン乱流部が、それぞれ独立し相互に離間されることにより、前記隣接対のクラウン乱流部間にスペースを画定し、各クラウン乱流部は、前記ヒールと前記トウとの間において延在して幅を画定し、前記フェースと前記後方部との間において延在して長さを画定する、ステップと、を含み、
前記長さは、前記幅よりも実質的に大きく、
少なくとも１つのクラウン乱流部の少なくとも一部分が、前記フェースと前記頂点との間に位置し、
各隣接する一対のクラウン乱流部間の前記スペースは、前記スペースを画定する前記隣接する一対のクラウン乱流部のそれぞれの前記幅よりも実質的に大きい、方法。
【請求項２６】
前記複数のクラウン乱流部を形成する前記ステップは、前記クラブヘッドおよび前記複数の乱流部を共に形成するステップを含む、請求項２５に記載の方法。
【請求項２７】
前記複数のクラウン乱流部を形成する前記ステップは、前記クラウン上の前記複数のクラウン乱流部を装着するステップを含む、請求項２５に記載の方法。
【請求項２８】
前記ソール上に、第１の複数のソール乱流部を形成するステップをさらに含み、前記第１の複数のソール乱流部は、前記ヒールと前記フェースの中心から前記後方部にかけて延在する正中線との間の前記ソール表面の一部分に配設された溝によって画定され、前記第１の複数のソール乱流部の中の少なくとも１つのソール乱流部は、前記ヒールの付近からほぼ前記トウに向かう方向に延在する、請求項２５に記載の方法。
【請求項２９】
前記ソール上に、第２の複数のソール乱流部を形成するステップをさらに含み、前記第２の複数のソール乱流部は、前記トウと前記ソール表面上の前記正中線との間の前記ソール表面の一部分に配設された溝によって画定され、前記第２の複数のソール乱流部の中の少なくとも１つのソール乱流部は、前記フェースまたは前記トウの付近からほぼ前記後方部に向かう方向に延在する、請求項２５に記載の方法。
【発明の詳細な説明】
【技術分野】
【０００１】
関連出願の相互参照
本出願は、２０１１年１０月３１日に出願された米国特許仮出願第６１／５５３，４２８号および２０１２年５月２４日に出願された米国特許仮出願第６１／６５１，３９２号の利益を主張するものである。これらの仮出願の全開示が、参照により本明細書に組み込まれる。
【０００２】
本出願は、一般的にはゴルフクラブに関し、より詳細には乱流部を備えるゴルフクラブヘッドおよび乱流部を備えるゴルフクラブヘッドを製造するための方法に関する。
【背景技術】
【０００３】
空気が、ゴルフクラブヘッドを越えて流れる際に、クラブヘッドの表面付近の粘性力が、その表面から自由流領域にかけて速度勾配を生じさせる。したがって、この表面付近の空気流速度は、比較的遅く、気流速度がクラブヘッドによる影響を受けない空気流領域である自由流速度に向かって漸増し得る。この速度勾配領域は、境界層と呼ばれる。
【発明の概要】
【発明が解決しようとする課題】
【０００４】
クラブヘッドの表面に対する境界層における空気流速度がほぼゼロにまで低下する程度まで、境界層が不利な影響をもたらす圧力勾配に抗してゴルフクラブヘッド上において遠方に移動した場合には、流れ剥離が発生する。この空気流は、クラブヘッドの表面から剥離した状態になり、渦形態をとる。流れ剥離は、クラブヘッドの前方表面と後方表面との間の圧力差により引き起こされ得る抗力を結果的に上昇させ得る。抗力の上昇により、クラブヘッドの速度が低下し、ひいてはクラブヘッドにより打撃されるゴルフボールの速度がより低下され得る。
【図面の簡単な説明】
【０００５】
【図１】クラブヘッド上の空気流の流れ線を示すクラブヘッドの平面斜視図を示す。
【０００６】
【図２】クラブヘッドのクラウンの前方及び後方領域を示すクラブヘッドの平面斜視図を示す。
【図３】一実施形態における乱流部の概略断面図を示す。
【０００７】
【図４】一実施形態における乱流部を有するクラブヘッドの斜視図を示す。
【０００８】
【図５】図４の乱流部の概略図を示す。
【０００９】
【図６】図４の実施形態における異なる乱流部の例を示す。
【図７】図４の実施形態における異なる乱流部の例を示す。
【図８】図４の実施形態における異なる乱流部の例を示す。
【００１０】
【図９】一実施形態における乱流部を有するクラブヘッドの斜視図を示す。
【図１０】一実施形態における乱流部を有するクラブヘッドの斜視図を示す。
【００１１】
【図１１】図９及び図１０の乱流部の一部の概略図を示す。
【００１２】
【図１２】図９及び図１０の実施形態における乱流部の異なる断面図を示す。
【図１３】図９及び図１０の実施形態における乱流部の異なる断面図を示す。
【図１４】図９及び図１０の実施形態における乱流部の異なる断面図を示す。
【００１３】
【図１５】一実施形態における乱流部を有するクラブヘッドの斜視図を示す。
【図１６】一実施形態における乱流部を有するクラブヘッドの斜視図を示す。
【００１４】
【図１７】図１５及び図１６の乱流部の一部の概略図を示す。
【００１５】
【図１８】図１５及び図１６の実施形態における乱流部の異なる断面図を示す。
【図１９】図１５及び図１６の実施形態における乱流部の異なる断面図を示す。
【図２０】図１５及び図１６の実施形態における乱流部の異なる断面図を示す。
【００１６】
【図２１】一実施形態における乱流部を有するクラブヘッドの斜視図を示す。
【図２２】一実施形態における乱流部を有するクラブヘッドの斜視図を示す。
【００１７】
【図２３】図２１及び図２２の乱流部の一部の概略図を示す。
【００１８】
【図２４】図２１及び図２２の実施形態における乱流部の異なる断面図を示す。
【図２５】図２１及び図２２の実施形態における乱流部の異なる断面図を示す。
【図２６】図２１及び図２２の実施形態における乱流部の異なる断面図を示す。
【００１９】
【図２７】一実施形態における乱流部を有するクラブヘッドの製造方法を示すフローチャートを示す。
【００２０】
【図２８】他の実施形態における乱流部を有するクラブヘッドの製造方法を示すフローチャートを示す。
【００２１】
【図２９】乱流部を有さないクラブヘッドを越える空気流の実空気流視覚化実験に基づく概略図を示す。
【００２２】
【図３０】乱流部を有する図２９のクラブヘッドを越える空気流の実空気流視覚化実験に基づく概略図を示す。
【００２３】
【図３１】抗力対配向角度の測定結果を示すグラフを示す。
【００２４】
【図３２】揚力対配向角度の測定結果を示すグラフを示す。
【００２５】
【図３３】ボール速度の測定結果を示すグラフを示す。
【００２６】
【図３４】クラブ速度の測定結果を示すグラフを示す。
【００２７】
【図３５】一実施形態におけるソール乱流部を有するクラブヘッドの異なる斜視図を示す。
【図３６】一実施形態におけるソール乱流部を有するクラブヘッドの異なる斜視図を示す。
【図３７】一実施形態におけるソール乱流部を有するクラブヘッドの異なる斜視図を示す。
【図３８】一実施形態におけるソール乱流部を有するクラブヘッドの異なる斜視図を示す。
【発明を実施するための形態】
【００２８】
図１を参照すると、ヒール端部１０４からトウ端部１０６にかけて水平に、およびソール１０８からクラウン１１０にかけて垂直に延在するフェース１０２を備える、ゴルフクラブヘッド１００が示される。フェース１０２とクラウン１１０との間の移行領域は、前縁１１２を画定する。クラウン１１０上の最高点は、頂点１１１を画定する。また、クラブヘッド１００は、シャフト（図示せず）を受けるためのホーゼル１１４を備える。クラブヘッド１００は、ウッドタイプのクラブヘッドである。しかし、本開示は、ウッドタイプのクラブヘッドに限定されず、任意のタイプのゴルフクラブヘッド（例えば、ドライバタイプクラブヘッド、フェアウェイウッドタイプクラブヘッド、ハイブリッドタイプクラブヘッド、アイアンタイプクラブヘッド、ウェッジタイプクラブヘッド、またはパタータイプクラブヘッドなど）に対して適用される。本明細書において説明される装置、方法、および製品は、この点において限定されない。
【００２９】
図１は、流線１１６によりクラブヘッド１００上における例示的な空気流パターンを示す。矢印１１７の方向に流れる空気は、前縁１１２からクラウン１１０の後方セクションに向かってクラウン１１０を越えて流れる。空気流は、前縁１１２から、前縁１１２からある離間距離１２１をおいて位置する剥離領域１２０にかけては、クラウン１１０に対して付着した状態に留まり得る。剥離は、クラウン１１０の幅狭帯状部において発生し得る。したがって、剥離領域１２０は、本明細書においては剥離ライン１２０と呼ばれる場合もある。図１に示すように、距離１２１は、クラブヘッド１００の物理的特徴に応じてヒール端部１０４からトウ端部１０６にかけて非一定であってもよい。剥離領域１２０において、空気流は、クラウン１１０から剥離し、乱流となるまたは自由流領域において渦を形成する空気流によって画定される伴流領域１２２を形成する。クラウン１１０上の伴流領域１２２と付着流領域との間における圧力差により、クラブヘッド１００上に圧力抗力が発生する。この圧力抗力は、クラブヘッド１００の速度を低下させ、したがってクラブヘッド１００により打撃されるボールの速度に影響を及ぼす。より長い距離１２１にわたって空気流をクラウン１１０に付着した状態に維持するためには、剥離領域１２０前の境界層において空気流にエネルギー付与することにより、空気流の分離を遅延させるか、またはクラウン１１０上の剥離領域１２０をさらに後方へと移動させることが可能である。剥離領域１２０の上流側における層流であり得る境界層に対してエネルギー付与するためには、剥離領域１２０の上流側において境界層を乱流化する（またはその流れが乱流である場合には、さらに乱流化する）ことが可能である。
【００３０】
上述のような空気流剥離または分離を遅延させるために、ゴルフクラブヘッド１００は、以下で詳細に説明されるようなクラウン１１０上に位置決めされた乱流部を備える。図２を参照すると、これらの乱流部は、クラウン１１０の前方領域１２４におよび剥離領域１２０の前に配置されることにより、空気流剥離を遅延させるか、またはクラウン１１０の後方領域１２６に向けて剥離領域１２０を移動させることができる。図３においては、例示的な乱流部２００の概略図が断面で示される。乱流部２００は、境界層２０３内部に位置するような高さ２０１で、クラウン１１０から上方に突出する。乱流部２００は、流線２１６により示されるように、クラウン１１０を越えて流れる空気を妨害することにより、境界層２０３内部に乱流２０５を発生させる。この乱流は、境界層２０３に対してエネルギー付与して、クラウン１１０上における空気流の剥離を遅延させ、クラウン１１０の後方領域１２６の方向に剥離領域１２０を移動させる。換言すれば、本開示による乱流部は、図１に示す距離１２１を増大させる。
【００３１】
乱流部３００の一例を図４に示す。乱流部３００は、境界層中に乱流を発生させることにより、クラウン１１０上の境界層に対してエネルギー付与する。乱流部３００は、前縁１１２の下流側に一定のまたは可変の距離３０１をおいてクラウン１１０上に配置され、ホーゼル１１４またはヒール端部１０４からトウ端部１０６にかけて延在し得る。乱流部３００は、クラウン１１０の表面上に断続的または連続的な形態で、ある高さ（図４〜図８には図示せず、しかし図３に参照番号２０１で概略的に図示）の複数の突出表面を形成する。クラウン１１０を越えて流れる空気が、乱流部３００の突出表面に直面すると、この空気は、妨害され、境界層内部の乱流となって、境界層に対してエネルギー付与する。
【００３２】
図４の例において示す乱流部３００は、ジグザグパターンを有するストリップにより形成される。図５を参照すると、このジグザグパターンは、ピーク３０２と、後退角表面３０４とを形成する。ピーク３０２および後退角表面３０４は、乱流部３００の幅３０３にわたって空気流の連続的な妨害をもたらす。ピーク３０２同士は、距離３０５だけ相互に離間され、乱流部３００は、空気流に影響を及ぼし得る厚さ３０７、高さ（図４〜図８には図示せず）、および表面特徴を有する。ピーク３０２は、ピーク角度３０９により画定され、２つの隣接し合うピーク３０２間の角度は、谷角度３１１により画定される。図６〜図８を参照すると、幅３０３、距離３０５、厚さ３０７、高さ、および／または角度３０９および３１１は、クラウン１１０上においてある特定の流れパターンを実現するために、用途ごとに異なってもよい。また、乱流部３００の各表面特徴は、クラウン１１０上においてある特定の流れパターンを実現するように異なってもよい。乱流部３００の表面特徴は、乱流部３００の上部表面の粗度または平滑度を指す場合がある。図６〜図８の例においては、図７に示す乱流部３００は、図６の乱流部３００よりも大きな乱流を境界層内にもたらし得る。したがって、図７の乱流部３００は、クラブヘッド１００の物理的特徴に応じたある特定の用途において適したものとなり得る。しかし、図６の乱流部３００は、別のタイプのクラブヘッド１００に適したものとなり得る。したがって、図６〜図８の例示的な乱流部３００は、それぞれ異なるクラブヘッド１００に対して適したものとなり得る。
【００３３】
例えば、乱流部３００は、０．５インチ（１．２７ｃｍ）を超過しない高さを有してもよい。一実施形態においては、乱流部３００は、０．０２インチ（０．０５ｃｍ）超かつ０．２インチ（０．５１ｃｍ）未満の高さを有してもよい。一実施形態においては、乱流部の幅３０３は、０．７５インチ（１．９１ｃｍ）未満であってもよい。乱流部３００は、空気流剥離の遅延に寄与するピーク間距離３０５を有してもよい。乱流部３００の位置は、クラブヘッド１００の物理的特徴およびクラウン１１０の流れパターンに応じて変更されてもよい。乱流部３００は、図４に示すように、クラブフェース１０２に対して斜角をなしてクラウン１１０上に配置されてもよく、またはクラブフェース１０２から０．２５インチ（０．６４ｃｍ）〜４．５インチ（１１．４３ｃｍ）の間においてクラブフェース１０２に対して平行であってもよい。乱流部３００は、ある特定のクラブヘッド１００の剥離領域１２０に基づき、クラウン１１０上に曲線状に配置されてもよい。一実施形態においては、乱流部３００は、クラブフェース１０２とクラウン１１０の頂点１１１との間に配置される。したがって、乱流部３００は、クラウン１１０の前縁１１２と頂点１１１との間に配置されてもよい。乱流部３００は、後退角表面３０４がクラブヘッド１００の正中線１２７（図２に図示）に対して２０°〜７０°の角度を形成するように、クラウン１１０上に配置されてもよい。
【００３４】
図４を参照すると、例えば、乱流部３００は、ヒール端部１０４からトウ端部１０６にかけて延在するストリップであってもよい。さらに、距離３０１は、ヒール端部１０４からトウ端部１０６にかけて増大する。距離３０１のこの増大により、乱流部は、図１に示す剥離領域１２０の形状に近似的に倣って配置される。代替的には、乱流部３００は、剥離領域１２０の形状に実質的に倣う曲線ストリップ（図示せず）であってもよい。
【００３５】
幅３０３、距離３０５、厚さ３０７、高さ、および／または角度３０９および３１１は、図６〜図８に示すように、乱流部の長さに沿って一定であってもよい。しかし、上記パラメータのいずれか１つまたは全ては、ある特定の空気流効果を実現するために、ヒール端部１０４からトウ端部１０６にかけて乱流部３００に沿って非一定であってもよい。さらに、乱流部３００の表面特徴が、ヒール端部１０４からトウ端部１０６にかけて乱流部３００に沿って一定であってもまたは非一定であってもよい。乱流部３００は、上述のジグザグパターンと同様の任意のパターンを、または上述の境界層エネルギー付与機能を実現し得る他のパターンを有してもよい。かかるパターンは、正方形、矩形、三角形、曲線系、円形、多角形、または他の形状などの様々な幾何学形状を、断続的構成または連続的構成で備えてもよい。本明細書において説明する装置、方法、および製品は、この点において限定されない。
【００３６】
乱流部３００は、図４においては連続ストリップとして図示される。しかし、乱流部３００は、相互に対して整列状態、オフセット状態、および／または直列状態などの様々な構成でクラウン１１０上に位置決めされた、複数の乱流部部分により形成されてもよい。例えば、乱流部３００は、クラウン１１０上においてそれぞれ異なる距離３０１をおいて位置決めされた３つの断続的なジグザグストリップを備えてもよい。これらの断続ストリップはそれぞれ、同様のまたは異なる高さ、幅３０３、距離３０５、厚さ３０７、角度３０９および／または３１１などの、同様のまたは異なる特性を有してもよい。
【００３７】
乱流部３００は、ステンレス鋼、アルミニウム、チタン、様々な他の金属もしくは合金、複合材料、木材もしくは石材などの天然材料、またはプラスチックなどの人工材料など、任意のタイプの材料から作製されてもよい。乱流部３００が、金属から作製される場合には、乱流部３００は、クラブヘッド１００上に形成されるか、あるいは、スタンプ加工（すなわちマシンプレスもしくはスタンププレスを使用したパンチ加工、ブランク加工、エンボス加工、曲げ加工、フランジ加工、または圧印加工、鋳造）、射出成形、鍛造、機械加工、もしくはそれらの組合せ、または金属パーツの製造に利用される他のプロセスにより、クラブヘッド１００と共に同時に形成され得る。金属材料またはプラスチック材料の射出成形により、クラブヘッド１００の上述のパーツおよび／または乱流部３００に対応する空洞部が組み込まれた単体のまたは複数片からなる型を作製することが可能である。溶融された金属材料またはプラスチック材料が、この型内に注入され、次いで冷却される。次いで、クラブヘッド１００および／または乱流部３００が、型から取り出されて、その表面上の不整部を平滑化するためにまたは残留部を除去するために機械加工され得る。乱流部３００が、クラブヘッド１００とは別個に製造される場合には、乱流部３００は、固定具、接着剤、溶接、はんだ付け、あるいは他の固定方法および／または固定デバイスにより、クラウン１１０に対して固定的にまたは着脱自在に装着され得る。一例においては、乱流部３００は、接着剤バッキングを有する材料のストリップから形成されてもよい。したがって、乱流部３００は、この接着剤バッキングにより、クラウン上の任意の位置においてクラブヘッド１００に対して装着されてもよい。
【００３８】
図９および図１０を参照すると、別の例示的な乱流部４００が示される。乱流部４００は、前縁１１２の下流側におよび剥離領域１２０の少なくとも部分的に前に位置決めされた、複数のリッジ４０１〜４０８を備える。各リッジ４０１〜４０８は、別のリッジと同一の距離４０９をおいて、または別のリッジとは異なる距離４０９を置いて、前縁１１２から離間されてもよい。図９および図１０は、ある特定個数のリッジを示し得るが、本明細書において説明される装置、方法、および製品は、より多数のまたはより少数のリッジを備えてもよい。リッジ４０４のみの例を示す図１１〜図１４を参照すると、各リッジ４０１〜４０８は、長さ４１１、ベース幅４１３、高さ４１５（図１２に図示）、およびクラブヘッド１００の前縁１１２に対する角度４１７を有する。各リッジ４０１〜４０８は、リッジ同士が平行でない場合にリッジ４０１〜４０８の前縁４１０から測定される距離４１９（図９および図１０に図示）だけ、隣接するリッジから離間されてもよい。
【００３９】
図１１は、リッジ４０４についての例示的な形状を示すが、決してリッジ４０１〜４０８の形状を限定するものではない。リッジ４０１〜４０８は、任意の断面形状を有し得る。図１２〜図１４においては、リッジ４０１〜４０８の３つの例示的な断面形状が示される。長さ４１１は、ベース幅４１３よりも実質的に大きくてもよい。リッジ４０１〜４０８は、クラウン１１０上に形成された境界層に対してエネルギー付与するための渦発生器として機能し、したがってクラウン１１０上においてさらに後方へと剥離領域１２０を移動させる。したがって、各リッジ４０１〜４０８は、乱流部として機能する。各リッジ４０１〜４０８の高さ４１５は、各リッジ４０２の頂部４１２（図１２に図示）が境界層内部に留まるような高さであってもよい。しかし、これらのリッジの任意の１つまたは複数が、境界層を越えて上方に延在してもよい。
【００４０】
各リッジの角度４１７は、各リッジ４０１〜４０８が前縁１１２に対しておよび／または相互に対してほぼ垂直に、平行に、または斜めに配向されるように、設定されてもよい。一実施形態においては、角度４１７は、２０°〜７０°の間であってもよい。図９および図１０の例においては、乱流部４００は、クラブヘッド１００のトウ端部側に、ほぼ約６０°〜７０°の角度４１７におよび相互に対して平行に配向された４つのリッジ４０１〜４０４を備える。さらに、乱流部４００は、リッジ４０１〜４０４に対して、クラブヘッド１００の正中線１２７を中心とした角度４１７に関して対称的な４つのリッジ４０５〜４０８を備える。
【００４１】
各リッジ４０１〜４０８は、線形として図示される。しかし、各リッジ４０１〜４０８は、曲線状である、長さ４１１に沿って可変ベース幅４１３を有する、可変断面形状を有する、長さ４１１および／またはベース幅４１３に沿って可変高さ４１５を有する、鋭角または鈍角の前縁４１０または後縁４１４を有する、鋭角または鈍角の頂部４１２を有する、種々の表面テクスチャを有する、および／または長さ４１１、ベース幅４１３、および／または高さ４１５に沿って他の物理的多様性を有することが可能である。距離４０９は、クラウン１１０上の剥離線１２０の位置に近似的に対応するように、各リッジ４０１〜４０８について、ヒール端部１０４からトウ端部１０６にかけて増大してもよい。しかし、図９および図１０におけるように、各リッジ４０１〜４０８は、前縁１１２から実質的に同一距離４０９をおいてクラウン１１０上に配置されてもよい。さらに、各リッジ４０１〜４０８は、本明細書において説明される境界層効果を実現するためにクラウン１１０上の任意の位置に配置されてもよい。リッジの位置は、クラブヘッド１００の物理的特徴およびクラウン１１０上における空気流パターンに応じて変更されてもよい。各リッジ４０１〜４０８は、クラブフェース１１０から０．２５インチ（０．６４ｃｍ）〜４．５インチ（１１．４３ｃｍ）の間の位置に、クラウン１１０上に直線または曲線に沿って配置されてもよい。各リッジ４０１〜４０８は、０．５インチ（１．２７ｃｍ）を超過しない高さ４１５を有してもよい。一実施形態においては、少なくとも１つのリッジ４０１〜４０８が、０．０２インチ（０．０５ｃｍ）超かつ０．２インチ（０．５１ｃｍ）未満の高さ４１５を有してもよい。リッジ４０１〜４０８は、空気流剥離の遅延に寄与する距離４１９を有してもよい。リッジ４０１〜４０８は、各クラブヘッド１００の剥離領域１２０の位置に基づき曲線状でクラウン１１０の上に配置されてもよい。一実施形態においては、リッジ４０１〜４０８は、フェース１０２とクラウン１１０の頂点１１１との間に配置される。したがって、リッジ４０２は、前縁１１２とクラウン１１０の頂点１１１との間に配置されてもよい。
【００４２】
図１０を参照すると、各リッジ４０１〜４０８が、リッジ上を流れる空気を妨害することにより、エリア４２１（リッジ４０４のみに関して図示）内のリッジ４０１〜４０８の下流側の境界層に対してエネルギー付与する小さな渦が、長さ４１１に沿って形成される。したがって、剥離領域１２０は、クラウン１１０上においてさらに後方に移動される。各リッジ４０１〜４０８の間の距離４１９、長さ４１１、ベース幅４１３、高さ４１５、および／または角度４１７は、エリア４２１同士が若干または大幅に重畳するようにまたは重畳しないように、設定されてもよい。図１０に示すように、各リッジ４０１〜４０８の距離４１９、長さ４１１、および角度４１７は、各リッジ４０１〜４０８の前縁４１０が、隣接するリッジ４０１〜４０８の後縁４１４と空気流方向に沿ってほぼ整列されるように、設定される。したがって、図９および図１０に示すようなクラウン１１０上のリッジ４０１〜４０８の配置は、境界層乱流の重畳エリア４２１をもたらす。しかし、リッジ４０１〜４０８は、任意の物理的特徴を有するように構成することが可能であり、任意の距離４１９をおいて離間され得る。例えば、これらのリッジが、図９および図１０に示すリッジ４０１〜４０８の長さ４１１よりも短い長さを有する場合には、距離４１９は、リッジ４０１〜４０８の下流側において領域４２１同士が確実に重畳するように、縮小され得る。別の例においては、クラブフェース１００に対するリッジ４０１〜４０８の角度４１７が、図９および図１０に示す角度４１７とは異なる場合には、これに応じて、リッジ４０１〜４０８の下流側におけるエリア４２１同士の重畳を確保するために、リッジ４０１〜４０８の距離４１９または長さ４１１を変更することが可能である。さらに別の例においては、複数列のリッジを、クラウン１１０上において相互に対して直列状またはオフセット状に設けることが可能である。したがって、それぞれが任意の物理的特徴および隣接するリッジに対する距離４０９を有する任意の個数のリッジを、クラウン１１０上に設けることが可能である。例えば、特定の用途においては、エリア４２１同士の重畳が適切ではない場合がある。したがって、リッジ４０１〜４０８は、エリア４２１同士の重畳を軽減する、最小限に抑える、または防止するように構成することが可能である。
【００４３】
図１０を参照すると、リッジ４０１〜４０４は、正中線１２７の方向を向くように配置され、リッジ４０５〜４０８は、やはり正中線１２７の方向を向くように配置される。したがって、リッジ４０１〜４０８は、プレーヤがクラブフェース１０２をボールに位置合わせするための位置合わせ補助部として機能し得る。アドレスポジションで立つ人は、リッジ４０１〜４０８の補助を用いて正中線１２７に対してボール（図示せず）の位置を視覚的に決定することができる。
【００４４】
図１５および図１６を参照すると、別の例示的な乱流部５００が図示される。乱流部５００は、前縁１１２の下流側におよび剥離領域１２０の少なくとも部分的に前に位置決めされた、複数のリッジ５０１〜５０７を備える。各リッジ５０１〜５０７は、別のリッジと同一の距離５０９、または、別のリッジとは異なる距離５０９をおいて、前縁１１２から離間され得る。図１５および図１６は、ある特定個数のリッジを示し得るが、本明細書において説明される装置、方法、および製品は、より多数のまたはより少数のリッジを備えてもよい。リッジ５０４のみの例を示す図１７〜図２０を参照すると、各リッジ５０１〜５０７は、長さ５１１、ベース幅５１３、高さ５１５（図１８に図示）、およびクラブヘッド１００の前縁１１２に対する角度５１７を有する。各リッジ５０１〜５０７は、リッジ同士が平行でない場合に、リッジ５０１〜５０７の前縁５０４から測定される距離５１９（図１５および図１６に図示）だけ、隣接するリッジから離間される。
【００４５】
図１７は、リッジ５０４の例示的な形状を示すが、リッジ５０１〜５０７の形状を限定するものではない。リッジ５０１〜５０７は、任意の断面形状を有し得る。図１８〜図２０においては、リッジ５０１〜５０７の３つの例示的な断面形状が示される。長さ５１１は、ベース幅５１３よりも実質的に大きくてもよい。リッジ５０１〜５０７は、クラウン１１０上に形成された境界層に対してエネルギー付与するための渦発生器として機能し、したがって、クラウン１１０上において、さらに後方へと剥離領域１２０を移動させる。したがって、各リッジ５０１〜５０７は、乱流部として機能する。各リッジ５０１〜５０７の高さ５１５は、各リッジ５０１〜５０７の頂部５１２（図１８に図示）が境界層内部に留まるような高さであってもよい。しかし、これらのリッジの任意の１つまたは複数が、境界層を越えて上方に延在してもよい。
【００４６】
各リッジの角度５１７は、各リッジ５０１〜５０７が前縁１１２に対して、および／または、相互に対してほぼ垂直に、平行に、または斜めに配向されるように、設定されてもよい。一実施形態においては、角度５１７は、２０°〜７０°の間であってもよい。図１５および図１６の例においては、乱流部５００は、ほぼ約６０°〜７０°の角度５１７におよび相互に対して平行に配向された７つのリッジ５０１〜５０７を備える。
【００４７】
各リッジ５０１〜５０７は、線形のものとして図示される。しかし、各リッジ５０１〜５０７は、曲線状であってもよく、長さ５１１に沿って変化するベース幅５１３を有していてもよく、変化する断面形状を有していてもよく、長さ５１１および／またはベース幅５１３に沿って、変化する高さ５１５を有していてもよく、鋭角または鈍角の前縁５１０または後縁５１４を有していてもよく、鋭角または鈍角の頂部５１２を有していてもよく、種々の表面テクスチャを有していてもよく、および／または長さ５１１、ベース幅５１３、および／または高さ５１５に沿って他の物理的多様性を有していてもよい。距離５０９は、クラウン１１０上の剥離線１２０の位置に近似的に対応するように、各リッジ５０１〜５０７について、ヒール端部１０４からトウ端部１０６にかけて増大してもよい。しかし、図１５および図１６に示すように、各リッジ５０１〜５０７は、前縁１１２から実質的に同一距離５０９をおいて配置されてもよい。さらに、各リッジ５０１〜５０７は、本明細書において説明される境界層効果を実現するために、クラウン１１０上の任意の位置に配置されてもよい。リッジの位置は、クラブヘッド１００の物理的特徴およびクラウン１１０上における空気流パターンに応じて変更されてもよい。各リッジ５０１〜５０７は、クラブフェース１１０から０．２５インチ（０．６４ｃｍ）〜４．５インチ（１１．４３ｃｍ）の間の位置に、クラウン１１０上に直線または曲線に沿って配置されてもよい。各リッジ５０１〜５０７は、０．５インチ（１．２７ｃｍ）を超過しない高さ５１５を有してもよい。一実施形態においては、少なくとも１つのリッジ５０１〜５０７は、０．０２インチ（０．０５ｃｍ）超かつ０．２インチ（０．５１ｃｍ）未満の高さ５１５を有してもよい。リッジ５０１〜５０７は、空気流剥離の遅延に寄与する距離５１９を有してもよい。リッジ５０１〜５０７は、各クラブヘッド１００の剥離領域１２０の位置に基づき、曲線状でクラウン１１０の上に配置されてもよい。一実施形態においては、リッジ５０１〜５０７は、クラウン１１０の頂点１１１の前に配置される。したがって、リッジ５０１〜５０７は、前縁１１２とクラウン１１０の頂点１１１との間に配置されてもよい。
【００４８】
図１６を参照すると、各リッジ５０１〜５０７が、リッジ上を流れる空気を妨害することにより、エリア５２１（リッジ５０４のみに関して図示）内のリッジ５０１〜５０７の下流側の境界層に対して、エネルギー付与する小さな渦が、長さ５１１に沿って形成される。したがって、剥離領域１２０は、クラウン１１０上においてさらに後方に移動される。各リッジ５０１〜５０７の間の距離５１９、長さ５１１、ベース幅５１３、高さ５１５、および／または角度５１７は、エリア５２１同士が若干または大幅に重畳するように、または、重畳しないように、設定されてもよい。図１６に示すように、各リッジ５０１〜５０７の距離５１９、長さ５１１、および角度５１７は、各リッジ５０１〜５０７の前縁５１０が、隣接するリッジ５０１〜５０７の後縁５１４と空気流方向に沿ってほぼ整列されるように、設定される。したがって、図１５および図１６に示すようなクラウン１１０上のリッジ５０１〜５０７の配置は、境界層乱流の重畳エリア５２１をもたらす。しかし、リッジ５０１〜５０７は、任意の物理的特徴を有するように構成することが可能であり、任意の距離５１９をおいて離間され得る。例えば、これらのリッジが、図１５および図１６に示すリッジ５０１〜５０７の長さ５１１よりも短い長さを有する場合には、距離５１９は、リッジ５０１〜５０７の下流側において領域５２１同士が確実に重畳するように、縮小され得る。別の例においては、クラブフェース１００に対するリッジ５０１〜５０７の角度５１７が、図１５および図１６に示す角度５１７とは異なる場合には、これに応じて、リッジ５０１〜５０７の下流側におけるエリア５２１同士の重畳を確保するために、リッジ５０１〜５０７の距離５１９または長さ５１１を変更することが可能である。さらに別の例においては、複数列のリッジを、相互に対して直列状態またはオフセット状態でクラウン１１０上に設けることが可能である。したがって、それぞれが任意の物理的特徴および隣接するリッジに対する距離５０９を有する任意の個数のリッジを、クラウン１１０上に設けることが可能である。例えば、特定の用途においては、エリア５２１同士の重畳が適切ではない場合がある。したがって、リッジ５０１〜５０７は、エリア５２１同士の重畳を軽減する、最小限に抑える、または防止するように構成することが可能である。
【００４９】
図２１および図２２を参照すると、別の例示的な乱流部６００が示される。この乱流部６００は、前縁１１２の下流側におよび剥離領域１２０の少なくとも部分的に前に位置決めされた、複数のリッジ６０１〜６０８を備える。各リッジ６０１〜６０８は、別のリッジと同一の距離６０９、または、別のリッジとは異なる距離６０９をおいて、前縁１１２から離間され得る。図２１および図２２は、ある特定個数のリッジを示し得るが、本明細書において説明される装置、方法、および製品は、より多数のまたはより少数のリッジを備えてもよい。リッジ６０４のみの例を示す図２２〜図２６を参照すると、各リッジ６０１〜６０８は、長さ６１１、ベース幅６１３、高さ６１５（図２４に図示）、およびクラブヘッド１００の前縁１１２に対する角度６１７を有する。各リッジ６０１〜６０８は、第１のピーク間距離６２３または第２のピーク間距離６２５（図２１および図２２に図示）だけ隣接するリッジから離間され、６２３および６２５は隣接し合うリッジ６０１〜６０８の前縁６０４から測定された距離である。
【００５０】
図２３は、リッジ６０４の例示的な形状を示すが、リッジ６０１〜６０８の形状を限定するものではない。リッジ６０１〜６０８は、任意の断面形状を有し得る。図２４〜図２６においては、リッジ６０１〜６０８の３つの例示的な断面形状が示される。長さ６１１は、ベース幅６１３よりも実質的に大きくてもよい。リッジ６０１〜６０８は、クラウン１１０上に形成された境界層に対してエネルギー付与するための渦発生器として機能し、したがってクラウン１１０上においてさらに後方へと剥離領域１２０を移動させる。したがって、各リッジ６０１〜６０８は、乱流部として機能する。各リッジ６０１〜６０８の高さ６１５は、各リッジ６０１〜６０８の頂部６１２（図２４に図示）が境界層内部に留まるような高さであってもよい。
【００５１】
各リッジの角度６１７は、各リッジ６０１〜６０８が前縁１１２に対しておよび／または相互に対してほぼ垂直に、平行に、または斜めに配向されるように、設定されてもよい。一実施形態においては、角度６１７は、２０°〜７０°の間の絶対値であってもよい。図２１および図２２の例においては、乱流部６００は、８つのリッジ６０１〜６０８を備える。リッジ６０１、６０３、６０５、および６０７は、ほぼ約−６０°〜−７０°の角度６１７にて（リッジの正の角度については図１７を参照）および相互に対して平行に配向される。また、乱流部６００は、約６０°〜７０°の角度６１７で配向された４つのリッジ６０２、６０４、６０６、および６０８を備える。したがって、隣接し合うリッジ６０１および６０２、６０３および６０４、６０５および６０６、ならびに６０６および６０８の各対は、Ｖ字型、三角形、または同様の形状に類似するように構成される。
【００５２】
リッジ６０４および６０５は、正中線１２７をまたいで対称的に位置し、正中線１２７の方向をほぼ向く。したがって、リッジ６０４および６０５は、ボールを正中線１２７にほぼ位置合わせするプレーヤを支援するための位置合わせデバイスとして機能し得る。
【００５３】
各リッジ６０１〜６０８は、線形のものとして図示される。しかし、各リッジ６０１〜６０８は、曲線状であってもよく、長さ６１１に沿って変化するベース幅６１３を有していてもよく、変化する断面形状を有していてもよく、長さ６１１および／またはベース幅６１３に沿って変化する高さ６１５を有していてもよく、鋭角または鈍角の前縁６１０または後縁６１４を有していてもよく、鋭角または鈍角の頂部６１２を有していてもよく、種々の表面テクスチャを有していてもよく、および／または長さ６１１、ベース幅６１３、および／または高さ６１５に沿って他の物理的多様性を有していてもよい。距離６０９は、クラウン１１０上の剥離線１２０の位置に近似的に対応するように、各リッジ６０１〜６０８について、ヒール端部１０４からトウ端部１０６にかけて増大してもよい。しかし、図２１および図２２に示すように、各リッジ６０１〜６０８は、前縁１１２から実質的に同一距離６０９をおいて配置されてもよい。さらに、各リッジ６０１〜６０８は、本明細書において説明される境界層効果を実現するために、クラウン１１０上の任意の位置に配置されてもよい。リッジの位置は、クラブヘッド１００の物理的特徴およびクラウン１１０上における空気流パターンに応じて変更されてもよい。各リッジ６０１〜６０８は、クラブフェース１１０から０．２５インチ（０．６４ｃｍ）〜４．５インチ（１１．４３ｃｍ）の間の位置に、クラウン１１０上に直線または曲線に沿って配置されてもよい。各リッジ６０１〜６０８は、０．５インチ（１．２７ｃｍ）を超過しない高さ６１５を有してもよい。一実施形態においては、少なくとも１つのリッジ６０１〜６０８が、０．０２インチ（０．０５ｃｍ）超かつ０．２インチ（０．５１ｃｍ）未満の高さ６１５を有してもよい。リッジ６０１〜６０８は、空気流剥離の遅延に寄与する距離６２３または６２５を有してもよい。リッジ６０１〜６０８は、各クラブヘッド１００の剥離領域１２０の位置に基づき、曲線状でクラウン１１０の上に配置されてもよい。一実施形態においては、リッジ６０１〜６０８は、クラウン１１０の頂点１１１（クラウン上の最高点）の前に配置される。したがって、リッジ６０１〜６０８は、前縁１１２とクラウン１１０の頂点１１１との間に配置されてもよい。
【００５４】
図２２を参照すると、各リッジ６０１〜６０８が、リッジ上を流れる空気を妨害することにより、エリア６２１（リッジ６０４のみに関して図示）内のリッジ６０１〜６０８の下流側の境界層に対してエネルギー付与する小さな渦が、長さ６１１に沿って形成される。したがって、剥離領域１２０は、クラウン１１０上においてさらに後方に移動される。各リッジ６０１〜６０８の間の距離６２３または６２５、長さ６１１、ベース幅６１３、高さ６１５、および／または角度６１７は、エリア６２１同士が若干または大幅に重畳するようにまたは重畳しないように、設定されてもよい。図２１および図２２に示すように、クラウン１１０上におけるリッジ６０１〜６０８の配置は、境界層乱流の重畳エリア６２１をもたらす。しかし、リッジ６０１〜６０８は、任意の物理的特徴を有するように構成され、任意の距離６２３または６２５をおいて離間され得る。例えば、リッジが、図２１および図２２に示すリッジ６０１〜６０８の長さ６１１よりも短い長さを有する場合には、距離６２３または６２５は、リッジ６０１〜６０８の下流側におけるエリア６２１同士の重畳を確保するために縮小され得る。別の例においては、クラブフェース１００に対するリッジ６０１〜６０８の角度６１７が、図２１および図２２に示す角度６１７とは異なる場合には、リッジ６０１〜６０８の距離６２３もしくは６２５または長さ６１１は、リッジ６０１〜６０８の下流側におけるエリア６２１同士の重畳を確保するために、これに応じて変更され得る。さらに別の例においては、複数列のリッジを、クラウン１１０上において相互に対して直列状またはオフセット状に設けることが可能である。したがって、それぞれが任意の物理的特徴および隣接するリッジに対する距離６０９を有する任意の個数のリッジを、クラウン１１０上に設けることが可能である。例えば、特定の用途においては、エリア６２１同士の重畳が適切ではない場合がある。したがって、リッジ６０１〜６０８は、エリア６２１同士の重畳を軽減する、最小限に抑える、または防止するように構成することが可能である。
【００５５】
乱流部４００、５００、または６００は、ステンレス鋼、アルミニウム、チタン、様々な他の金属もしくは合金、複合材料、木材もしくは石材などの天然材料、またはプラスチックなどの人工材料など、任意のタイプの材料から作製されてもよい。乱流部４００、５００、または６００が、金属から作製される場合には、乱流部４００、５００、または６００は、クラブヘッド１００上に形成されるか、あるいは、スタンプ加工（すなわちマシンプレスもしくはスタンププレスを使用したパンチ加工、ブランク加工、エンボス加工、曲げ加工、フランジ加工、または圧印加工、鋳造）、射出成形、鍛造、機械加工、もしくはそれらの組合せ、または金属パーツの製造に利用される他のプロセスにより、クラブヘッド１００と共に同時に形成され得る。金属材料またはプラスチック材料の射出成形により、クラブヘッド１００の上述のパーツおよび／または乱流部４００、５００、もしくは６００に対応する空洞部が組み込まれた単体のまたは複数片からなる型を作製することが可能である。溶融された金属材料またはプラスチック材料が、この型内に注入され、次いで冷却される。次いで、クラブヘッド１００および／または乱流部４００、５００、もしくは６００が、型から取り出されて、その表面上の不整部を平滑化するためにまたは残留部を除去するために機械加工され得る。乱流部４００、５００、または６００が、クラブヘッド１００とは別個に製造される場合には、乱流部４００、５００、または６００は、固定具、接着剤、溶接、はんだ付け、あるいは他の固定方法および／または固定デバイスにより、クラウン１１０に対して、固定的にまたは着脱自在に装着され得る。一例においては、乱流部４００、５００、または６００は、金属材料から形成されてもよい。この場合には、乱流部４００、５００、または６００は、接着剤によりクラウン１１０に対して装着することが可能である。別の例においては、乱流部４００は、クラウン１１０に対して乱流部４００、５００、または６００を着脱自在に装着するために、クラウン１１０上の対応するサイズ設定がなされたスロットに摺入する、細長突出部を備えてもよい。したがって、乱流部４００、５００、または６００は、各乱流部４００、５００、または６００をクラブヘッド１００との間において選択的に連結または取外しし得るようにするための着脱自在連結機構を備えてもよい。クラウン１１０上の乱流部は、リッジにより画定されるものとして上述される。しかし、乱流部の中の任意の１つまたは複数が、クラウン１１０中に形成された溝によって画定されてもよい。乱流部は、機械加工またはレーザ切断等々の様々な方法によりクラウン１１０中に溝を切削することによって形成され得る。
【００５６】
図２７に示す一例によれば、様々な実施形態による乱流部を有するゴルフクラブヘッドを製造する方法７００は、７０２で、クラブヘッドを有するゴルフクラブを準備することと、７０４で、クラブヘッドのクラウン上に１つまたは複数の乱流部を装着することとを含む。図２８に示す別の例によれば、様々な実施形態による乱流部を有するゴルフクラブヘッドを製造する方法８００は、８０２で、ゴルフクラブヘッドおよび１つまたは複数の乱流部に対応する空洞部を有する型を準備することと、８０４で、この型を用いてクラブヘッドおよび乱流部を形成することとを含む。
【００５７】
図２９は、乱流部を有さないクラブヘッド１００を越える空気流の実空気流視覚化実験に基づく概略図を示し、図３０は、乱流部４００を備える同一のクラブヘッドを越える空気流の実空気流視覚化実験に基づく概略図を示す。図２９においては、空気流を表す流線は、クラブヘッド１００に接近し、クラブフェース上で方向転換して前縁に向かう。流線は、前縁１１２を越え、クラウン１１０を越えて流れる。しかし、空気流は、剥離領域１２０においてクラウン１１０から剥離した状態になり、クラウン１１０の大部分において乱流伴流１２２を生じさせる。この乱流伴流１２２は、抗力を増大させ、それにより、クラブヘッド１００の速度を低下させる。図３０を参照すると、リッジ４０１〜４０８が、前縁１１２の下流側に、および図２９の剥離領域１２０の上流側に位置決めされる。したがって、流れは、図３０で流線により示すように、クラウン１１０の大部分にわたって付着した状態に留まる。したがって、剥離領域１２０は、クラウン１１０上においてさらに後方へと移動される。
【００５８】
上述のように、乱流部４００、５００、もしくは６００の物理的特徴；クラウン上における乱流部４００、５００、もしくは６００の位置；および／またはクラウン、正中線１２７、および／または前縁１１２の任意の部分に対する乱流部４００、５００、もしくは６００の配向の中の任意のものが、ある特定の境界層効果を実現するように設定されてもよい。一実施形態によれば、乱流部は、以下の関係、すなわち、Ｑ＞０．０５ＤＡにしたがって、前縁１１２から距離Ｑをおいて配置され得る。
【００５９】
ここで、ＤＡは、前縁１１２からクラウンの頂点１１１（すなわちクラウン上の最高点）までの距離である。別の実施形態によれば、前縁１１２に対する各リッジの角度である角度γは、以下の関係、すなわち、γ＞Ｌｏｆｔにしたがったものとなり得る。
【００６０】
ここで、Ｌｏｆｔは、クラブヘッド１００のロフト角である。別の実施形態によれば、各リッジ間の距離である距離Ｐは、以下の関係、すなわち、２Ｌｃｏｓ（γ）＞Ｐ＞０．８Ｌｃｏｓ（γ）にしたがったものとなり得る。
【００６１】
ここで、Ｌは、リッジの長さである。
【００６２】
表１および表２は、乱流部を有さない、乱流部３００を備える、および乱流部４００を備える、各ゴルフクラブヘッド１００についての実験結果を示す。表１は、クラブヘッド１００の種々の配向角度について測定した空力抵抗値を、ｌｂｓで表したものを示す。クラブヘッド１００の速度は、配向角度により直接的に影響される。配向角度が増加すると、クラブヘッド１００の速度が結果的に上昇する。
【００６３】
【表１】
2019111369.tif 000003
表１:抗力(lbs)対配向角度(度)
【００６４】
【表２】
2019111369.tif 000004
表２:揚力(lbs)対配向角度(度)
【００６５】
表１に示すように、クラブヘッド１００が、６０°超の配向角度を有する場合には、クラブヘッド１００に対する空力抵抗力は、乱流部３００または乱流部４００を有するクラブヘッド１００については低下する。抗力低下は、９０°の配向角度の場合にははるかに大きくなる。表１のデータをグラフ表示した図３１を参照すると、６０°超の配向角度の場合の上記の抗力低下が、視覚的に示される。さらに、乱流部４００（１つまたは複数のリッジ４０１〜４０８を備える）は、クラブヘッド１００に対する抗力低下が乱流部３００よりも大きいことが分かる。
【００６６】
表２は、クラブヘッドの種々の配向角度について測定した揚力値を、ｌｂｓで表したものを示す。クラブヘッド１００が、６０°超の配向角度を有する場合には、クラブヘッドにより発生する揚力は、乱流部３００または乱流部４００を有するクラブヘッド１００の場合には、乱流部を有さないクラブヘッド１００の場合に比べて急激な低下はない。表２のデータをグラフ表示した図３２を参照すると、乱流部を有さないクラブヘッド１００の上記の揚力低下が、視覚的に示される。上記の揚力低下は、乱流部３００または乱流部４００を有するクラブヘッド１００の場合に比べて、乱流部を有さないクラブヘッド１００の場合には、クラウン上における境界層剥離がより早いことによって引き起こされる、より高い圧力差に起因する。したがって、表１および表２ならびに図３１および図３２は、乱流部を有さないゴルフクラブヘッドの場合のクラウン上における早期境界層剥離の悪影響と、ゴルフクラブヘッドに対してかかる抗力に対する境界層剥離遅延の効果とを示す。
【００６７】
図３３および図３４は、乱流部を有さないゴルフクラブヘッドおよび乱流部４００を有するゴルフクラブヘッドについて測定したボール速度およびクラブヘッド速度をグラフで示す。図３３は、ゴルフクラブヘッドが乱流部４００を備える場合には、ボール速度がより高くなることを示す。ボール速度のこの上昇は、乱流部４００による図３４に示すようなより高いクラブヘッド速度が、クラウン上における境界層剥離を遅延させることにより、クラブヘッドに対する抗力が低下することに起因する。
【００６８】
図３５〜図３８を参照すると、ヒール端部１００４からトウ端部１００６にかけて水平に、およびソール１００８からクラウン１０１０にかけて垂直に延在するフェース１００２を備える、別の例示的なゴルフクラブヘッド１０００を示す。ヒール端部１００４およびトウ端部１００６は、クラブヘッド１０００のフェース１００２から後方部１００９にかけて延在する。フェース１００２とクラウン１０１０との間の移行領域が、上方前縁１０１２を画定し、フェース１００２とソールとの間の移行領域が、下方前縁１０１３を画定する。また、クラブヘッド１０００は、シャフト（図示せず）を受けるためのホーゼル１０１４を備える。クラブヘッド１０００は、ウッドタイプのクラブヘッドとして図示される。しかし、本開示は、ウッドタイプのクラブヘッドに限定されず、任意のタイプのゴルフクラブヘッド（例えば、ドライバタイプクラブヘッド、フェアウェイウッドタイプクラブヘッド、ハイブリッドタイプクラブヘッド、アイアンタイプクラブヘッド、ウェッジタイプクラブヘッド、またはパタータイプクラブヘッドなど）に対して適用される。
【００６９】
クラブヘッド１０００は、ソール１００８上の複数の乱流部１２０１〜１２０４および１３０１〜１３０４を備える。本明細書においては、これらは、それぞれ乱流部１２００および１３００と全体的に呼ばれる場合がある。乱流部１２００および１３００は、ゴルフスイングのダウンスイング段階、インパクトポジション段階、およびフォロースルー段階の際に、ソール１００８上の境界層に対してエネルギー付与する。ダウンスイングの初期パートの際に、クラブヘッド１０００の上流側の空気は、ほぼヒール１００４を越えてソール１００８およびクラウン１０１０上に流れる。ダウンスイングの中間パートの際には、この空気は、ほぼヒール１００４とフェース１００２との間の移行領域を越えて、ソール１００８およびクラウン１０１０上に流れる。インパクトポジションの直前のダウンスイングの最終パートの際には、空気は、ほぼフェース１００２を越えてソール１００８およびクラウン１０１０の上に流れる。図３６および図３８の矢印１２１０は、ゴルフスイングのダウンスイングパートの際の１つの例示的な空気流方向を表す。ソール１００８上を流れる空気は、ソール上において境界層を形成する。乱流部１２００は、この境界層に対してエネルギー付与することにより、乱流部１２００の下流側における流れの分離を遅延させる。したがって、クラブヘッド１０００の抗力が低下し、それによりダウンスイング時のクラブ速度が上昇する。
【００７０】
フェース１００２が、インパクトポジションにおいてボールを打撃した後に、クラブヘッド１０００は、フォロースルー時に回転される。クラブヘッド１０００の上流側の空気は、フォロースルーの初期パートの際には、ほぼフェース１００２を越えてソール１００８およびクラウン１０１０上に流れる。フォロースルーの中間パートの際には、この空気は、ほぼトウ１００６とフェース１００２との間の移行領域を越えてソール１００８およびクラウン１０１０上に流れる。フォロースルーの最終パートの際には、この空気は、ほぼトウ１００６を越えてソール１００８およびクラウン１０１０上に流れ得る。図３６および図３８に示すように、矢印１３１０は、ゴルフスイングのフォロースルーパートの際の１つの例示的な空気流方向を表す。
【００７１】
図３７は、乱流部１２００および１３００の寸法、ソール１００８上における位置、およびフェース１００２に対する配向を説明するためのｘ座標軸およびｙ座標軸を示す。ｘ座標軸およびｙ座標軸は、フェース１００２の中心点を画定し得る原点１２４０（すなわちｘ＝０、ｙ＝０）を有する。したがって、ｙ軸は、クラブヘッド１０００の正中線を画定し得る。以下で詳細に説明するように、ソール１００９上における各乱流部１２００および１３００の位置は、ｘ位置およびｙ位置によって表すことが可能である。さらに、乱流部１２００および１３００の配向は、ｘ軸に対する角度１２４２により表すことが可能である。
【００７２】
乱流部１２０１〜１２０４は、ヒール端部１００４付近からトウ端部１００６に向かう方向にほぼ延在する溝によって画定され得る。各乱流部１２０１〜１２０４は、第１の端部１２１１〜１２１４および第２の端部１２１５〜１２１８をそれぞれ有する。第１の端部１２１１〜１２１４は、ヒール端部１００４付近に位置し、ヒール端部１００４の輪郭にほぼ倣い得る。したがって、乱流部１２０１〜１２０４の第１の端部１２１１〜１２１４は、ヒール端部１００４からほぼ同一の距離を有し得る。しかし、第１の端部１２１１〜１２１４は、ソール１００８上における空気流剥離を遅延させるために、ソール１００８上の任意の位置に配置され得る。
【００７３】
乱流部１２０１〜１２０４は、同一寸法を有し、相互に対して平行に延在してもよく、または、それぞれ異なる寸法を有し、相互に対して非平行に延在してもよい。図３８で線１２５０により例として示されるダウンスイング時の空気流剥離領域の位置に応じて、乱流部１２００の構成を、剥離領域１２５０の上流側において空気流にエネルギー付与するように変更することが可能である。例えば、乱流部１２０１〜１２０４は、フェース１００２から後方部１００９の方向において長さが漸増する。したがって、第２の端部１２１５〜１２１８は、ｙ軸に対して徐々により近くなる。したがって、乱流部１２０１〜１２０４の漸増的な長さの増大は、剥離領域１２５０の輪郭に倣うことにより、乱流部１２０１〜１２０４の下流側のソール１００８上において流れの剥離をもたらし得る。同様に、各乱流部１２０１〜１２０４の深さ、幅、および／または角度１２４２が、ある特定の流れパターンを実現するために変更されてもよい。図３７に示すように、角度１２４２は、フェース１００２から後方部１００９への方向において漸増する。各乱流部１２０１〜１２０４についての角度１２４２は、ダウンスイング時のクラブヘッド１０００のある特定の回転位置に対応してもよい。したがって、フェース１００２から後方部１００９への方向において角度１２４２を変更することにより、乱流部１２０１〜１２０４は、ダウンスイング時のクラブヘッド１０００のほぼ全ての回転角度について、剥離領域Ｓ１の上流側の流れにエネルギー付与することができる。角度１２４２は、乱流部上の任意の基準線とｘ軸またはｙ軸との間で測定され得る。本開示においては、角度１２４２は、ｘ軸と乱流部の端部同士を接続する線との間の角度として測定される。
【００７４】
乱流部１２０１〜１２０４を画定する溝は、それぞれ、第１の端部１２１１〜１２１４においてはより幅広であり、第２の端部１２１５〜１２１８においてはより幅狭であってもよい。また、これらの溝の深さは、それぞれ、第１の端部１２１１〜１２１４から第２の端部１２１５〜１２１８にかけて漸減してもよい。溝は、ソール１００８上に任意の形状で形成されてもよい。例えば、溝は、第１の端部１２１１〜１２１４および第２の端部１２１５〜１２１８においては幅狭であり、溝１２０１〜１２０４の中心に向かって徐々にまたは急激に幅広になることが可能である。対照的に、溝は、第１の端部１２１１〜１２１４および第２の端部１２１５〜１２１８においてはより幅広であり、溝１２０１〜１２０４の中心に向かって徐々にまたは急激に幅狭になることが可能である。また、溝の深さは、溝の幅の変化に応じてなど、任意の様式で変化してもよい。
【００７５】
乱流部１２００を画定する溝の幅、長さ、深さ、位置（すなわちｘ位置およびｙ位置）、角度１２４２、および形状は、ダウンスイング時のクラブヘッド１０００のほぼ全ての回転角度に対して、特定の流れパターンを実現するために、フェース１００２から後方部１００９にかけて非一定であってもよい。さらに、乱流部１２００の個数もまた、ソール１００８上においてある特定の流れパターンを実現するために変更することが可能である。例えば、５つ、６つ、またはより多数の乱流部１２００を、ソール１００８上に設けることが可能である。乱流部１２００は、ソール１００８上において、フェース１００２から後方部１００９への方向に、それぞれの隣に配置されてもよく、および／または直列で配置されてもよい。
【００７６】
以下の表３は、乱流部１２０１〜１２０４についての例示的な構成を示す。ｘ位置およびｙ位置は、第２の端部１２１５〜１２１８のｘ位置およびｙ位置を指す。表３内の全ての寸法は、インチで表される。さらに、乱流部１２０１〜１２０４を画定する溝の深さおよび幅は、それぞれ乱流部１２０１〜１２０４の第１の端部１２１１〜１２１４において測定される。表３は、乱流部１２０１〜１２０４の一例を表すに過ぎず、決して乱流部１２００の特性を限定しない。
【００７７】
【表３】
2019111369.tif 000005
【００７８】
乱流部１３０１〜１３０４は、ほぼトウ端部１００６に対して近いフェースの部分の付近から後方部１００９に向かって延在する溝によって画定され得る。また、これらの溝は、ほぼフェース１００２とトウ端部１００６との間の移行領域付近から後方部１００９の方向に延在してもよい。さらに、溝は、トウ端部１００６の付近から後方部１００９の方向に延在してもよい。各乱流部１３０１〜１３０４は、それぞれ、第１の端部１３１１〜１３１４および第２の端部１３１５〜１３１８を有する。第１の端部１３１１〜１３１４は、フェース１００２またはトウ端部１００６の付近に位置し、フェース１００２から後方部１００９に向かう方向に延在するか、またはトウ端部１００６の輪郭にほぼ倣ってもよい。しかし、第１の端部１３１１〜１３１４は、ソール１００８上における空気流剥離を遅延させるために、ソール１００８上の任意の位置に配置されてもよい。
【００７９】
乱流部１３０１〜１３０４は、同一寸法を有し、相互に対して平行に延在してもよく、または、それぞれ異なる寸法を有し、相互に対して非平行に延在してもよい。図３８で線１３５０により例として示される空気流剥離領域の位置に応じて、乱流部１３００の寸法特徴を、剥離領域１３５０の上流側において空気流にエネルギー付与するように変更することが可能である。例えば、乱流部１３０１〜１３０４は、フェース１００２からトウ端部１００６に向かう、およびトウ端部１００６から後方部１００９に向かう方向において、長さが漸増する。したがって、第２の端部１３１５〜１３１８は、ｘ軸およびｙ軸から徐々により遠くなる。乱流部１３０１〜１３０４の漸増的な長さの増大は、剥離領域１３５０の輪郭に倣うことにより、乱流部１３０１〜１３０４の下流側における空気流の付着をもたらし得る。同様に、各乱流部１３０１〜１３０４の深さ、幅、および／または角度１２４２が、ある特定の流れパターンを実現するために変更されてもよい。図３７に示すように、角度１２４２は、フェース１００２からトウ端部１００６に向かう、およびトウ端部から後方部１００９に向かう方向において漸減する。各乱流部１３０１〜１３０４についての角度１２４２は、フォロースルー時のクラブヘッド１０００のある特定の回転位置に対応してもよい。したがって、フェース１００２からトウ端部１００６に向かう、およびトウ端部１００６から後方部１００９に向かう方向における角度１２４２を変更することにより、乱流部１３０１〜１３０４は、フォロースルー時のクラブヘッド１００のほぼ全ての回転角度について、剥離領域１３５０の上流側の流れにエネルギー付与することができる。さらに、各乱流部１３０１〜１３０４は、トウ端部１００６の湾曲にほぼ対応する湾曲を有してもよく、インパクトポジションおよびフォロースルーの際のソール１００８上における空気流の一般的な方向に相当するものであってもよい。角度１２４２は、乱流部上の任意の基準線とｘ軸またはｙ軸との間で測定され得る。本開示においては、角度１２４２は、ｘ軸と乱流部の端部同士を接続する線との間の角度として測定される。
【００８０】
乱流部１３０１〜１３０４を画定する溝は、それぞれ、第１の端部１３１１〜１３１４においてはより幅広であり、第２の端部１３１５〜１３１８においてはより幅狭であってもよい。また、これらの溝の深さは、それぞれ、第１の端部１３１１〜１３１４から第２の端部１３１５〜１３１８にかけて漸減してもよい。溝は、ソール１００８上に任意の形状で形成されてもよい。例えば、溝は、第１の端部１３１１〜１３１４および第２の端部１３１５〜１３１８においては幅狭であり、溝１３０１〜１３０４の中心に向かって徐々にまたは急激に幅広になることが可能である。対照的に、溝は、第１の端部１３１１〜１３１４および第２の端部１３１５〜１３１８においてはより幅広であり、溝１３０１〜１３０４の中心に向かって徐々にまたは急激に幅狭になることが可能である。また、溝の深さは、溝の幅の変化に応じてなど、任意の様式で変化してもよい。
【００８１】
乱流部１３００を画定する溝の幅、長さ、深さ、位置（すなわちｘ位置およびｙ位置）、角度１２４２、および形状は、フォロースルー時のクラブヘッド１０００のほぼ全ての回転角度に対して特定の流れパターンを実現するために、フェース１００２からトウ端部１００６にかけて、およびトウ端部１００６から後方部１００９にかけて非一定であることが可能である。さらに、乱流部１３００の個数もまた、ソール１００８上においてある特定の流れパターンを実現するために変更することが可能である。例えば、５つ、６つ、またはより多数の乱流部１３００をソール１００８上に設けることが可能である。乱流部１３００は、ソール１００８上において相互に隣接しておよび／または直列で配置されてもよい。
【００８２】
以下の表４は、乱流部１３０１〜１３０４についての例示的な構成を示す。ｘ位置およびｙ位置は、第２の端部１３１５〜１３１８のｘ位置およびｙ位置を指す。表４内の全ての寸法は、インチで表される。さらに、乱流部１３０１〜１３０４を画定する溝の深さおよび幅は、それぞれ乱流部１３０１〜１３０４の第１の端部１３１１〜１３１４において測定される。表３は、乱流部１３０１〜１３０４の例示的な構成を表すに過ぎず、決して乱流部１３００の特性を限定しない。
【００８３】
【表４】
2019111369.tif 000006
【００８４】
乱流部１２００および１３００は、ソール１００８中の溝により画定されるものとして上述される。したがって、乱流部１２００および１３００は、機械加工またはレーザ切断等々の様々な方法によりゴルフクラブ１０００のソール１００８中に溝を切削することによって形成され得る。あるいは、乱流部１２００および／または乱流部１３００の中の任意の１つまたは複数が、ソール１００８上のリッジまたは突出部により画定されてもよい。かかる溝またはリッジは、スタンプ加工（すなわちマシンプレスもしくはスタンププレスを使用したパンチ加工、ブランク加工、エンボス加工、曲げ加工、フランジ加工、または圧印加工、鋳造）、射出成形、鍛造、機械加工、もしくはそれらの組合せ、または金属パーツの製造に利用される他のプロセスにより、クラブヘッド１０００と共に同時に形成され得る。金属材料またはプラスチック材料の射出成形により、クラブヘッド１０００の上述のパーツおよび／または乱流部１２００および１３００に対応する空洞部が組み込まれた単体のまたは複数片からなる型を作製することが可能である。溶融された金属材料またはプラスチック材料が、この型内に注入され、次いで冷却される。次いで、クラブヘッド１００および／または乱流部１２００および１３００が、型から取り出されて、その表面上の不整部を平滑化するためにまたは残留部を除去するために機械加工され得る。乱流部１２００および１３００が、リッジの形態であり、クラブヘッド１０００とは別個に製造される場合には、乱流部３００は、固定具、接着剤、溶接、はんだ付け、あるいは他の固定方法および／または固定デバイスにより、ソール１００８に対して固定的にまたは着脱自在に装着され得る。一例においては、乱流部１２００または１３００は、接着剤バッキングを有する材料のストリップから形成されてもよい。したがって、乱流部１２００または１３００は、この接着剤バッキングにより、ソール１００８上の任意の位置においてクラブヘッド１０００に対して装着されてもよい。
【００８５】
クラブヘッドが、乱流部３００、４００、５００、６００、１２００、および／または１３００の中の１つまたは組合せを備えてもよい。例えば、クラブヘッドが、クラウン上に乱流部４００を、およびソール上に乱流部１２００を備えてもよい。別の例においては、クラブヘッドが、クラウン上に乱流部５００を、ならびにソール上に乱流部１２００および１３００を備えてもよい。したがって、本開示による任意の乱流部の組合せが、クラブヘッド上においてある特定の流れパターンを実現するために、クラウンおよび／またはソール上に設けられてもよい。
【００８６】
乱流部あるいは乱流部を有するクラブヘッドを製造するために、上記では、特定の順序の動作が説明されているが、これらの動作は、他の時間的順序で実行されてもよい。例えば、上記の２つ以上の動作が、連続的に、並行して、または同時に実行されてもよい。あるいは、２つ以上の動作を逆の順序で実施してもよい。さらに、１つ以上の動作を全く実施しなくてもよい。本明細書中に記載される装置、方法および製造物品はこの点に関して限定されない。
【００８７】
本発明が種々の態様と関連付けて記載されているが、本発明はさらに変形可能であることが理解されよう。本出願は、一般に本発明の原理に従い、本発明が関連する技術において公知であり、かつ慣行であるような、本開示からの逸脱を含む、本発明のいかなる変形形態、使用、あるいは改変形態も包含することを意図するものである。
【図１】
2019111369.tif 000007
【図２】
2019111369.tif 000008
【図３】
2019111369.tif 000009
【図４】
2019111369.tif 000010
【図５】
2019111369.tif 000011
【図６】
2019111369.tif 000012
【図７】
2019111369.tif 000013
【図８】
2019111369.tif 000014
【図９】
2019111369.tif 000015
【図１０】
2019111369.tif 000016
【図１１】
2019111369.tif 000017
【図１２】
2019111369.tif 000018
【図１３】
2019111369.tif 000019
【図１４】
2019111369.tif 000020
【図１５】
2019111369.tif 000021
【図１６】
2019111369.tif 000022
【図１７】
2019111369.tif 000023
【図１８】
2019111369.tif 000024
【図１９】
2019111369.tif 000025
【図２０】
2019111369.tif 000026
【図２１】
2019111369.tif 000027
【図２２】
2019111369.tif 000028
【図２３】
2019111369.tif 000029
【図２４】
2019111369.tif 000030
【図２５】
2019111369.tif 000031
【図２６】
2019111369.tif 000032
【図２７】
2019111369.tif 000033
【図２８】
2019111369.tif 000034
【図２９】
2019111369.tif 000035
【図３０】
2019111369.tif 000036
【図３１】
2019111369.tif 000037
【図３２】
2019111369.tif 000038
【図３３】
2019111369.tif 000039
【図３４】
2019111369.tif 000040
【図３５】
2019111369.tif 000041
【図３６】
2019111369.tif 000042
【図３７】
2019111369.tif 000043
【図３８】
2019111369.tif 000044
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
フェース部と、後方部と、ヒール端と、トウ端と、ソール部と、クラウン部と、前記フェース部と前記クラウン部との間に位置する前縁と、前記クラウン部の最高点に位置する頂点と、
前記クラウン部から外側に向けて突出しており、前記フェース部と前記頂点との間のみに位置する乱流部部分と、を備え、
前記乱流部部分は、
前記フェース部と前記後方部との間において延在して幅を画定し、
前記ヒール端と前記トウ端との間で延在し、
前記前縁に対して、２０°〜７０°の間の傾斜角で設定されている、ゴルフクラブヘッド。
【請求項２】
前記乱流部部分は、前記ヒール端から前記トウ端まで延在する連続ストリップである、請求項１に記載のゴルフクラブヘッド。
【請求項３】
前記クラウン部から外側に向かって突出する複数の乱流部部分を備えるう請求項１に記載のゴルフクラブヘッド。
【請求項４】
前記乱流部部分は、前記クラウン部において、曲線状に位置している、請求項１から３のいずれか一項に記載のゴルフクラブヘッド。
【請求項５】
前記乱流部部分の前記幅は、１．９１センチメートル以下である、請求項１から４のいずれか一項に記載のゴルフクラブヘッド。
【請求項６】
前記乱流部部分は、前記フェース部から０．６４センチメートル〜１１．４３センチメートルの間に位置している、請求項１から５のいずれか一項に記載のゴルフクラブヘッド。
【請求項７】
前記乱流部部分と前記フェース部との間の距離は、前記ヒール端から前記トウ端に向かって増大している、請求項１から６のいずれか一項に記載のゴルフクラブヘッド。
【請求項８】
前記乱流部部分と前記フェース部との間の距離は、前記トウ端から前記ヒール端に向かって増大している、請求項１から６のいずれか一項に記載のゴルフクラブヘッド。
【請求項９】
前記乱流部部分は、０．０５センチメートル〜１．２７センチメートルの範囲内の高さを有する、請求項１から８のいずれか一項に記載のゴルフクラブヘッド。
【請求項１０】
前記乱流部部分は、前記ヒール端から前記トウ端に向かって増大する高さを有する、請求項１から９のいずれか一項に記載のゴルフクラブヘッド。
【請求項１１】
前記乱流部部分は、前記トウ端から前記ヒール端に向かって増大する高さを有する、請求項１から９のいずれか一項に記載のゴルフクラブヘッド。
【請求項１２】
前記乱流部部分は、ジグザグパターンで形成されている、請求項１から１１のいずれか一項に記載のゴルフクラブヘッド。
【手続補正２】
【補正対象書類名】明細書
【補正対象項目名】００８７
【補正方法】変更
【補正の内容】
【００８７】
本発明が種々の態様と関連付けて記載されているが、本発明はさらに変形可能であることが理解されよう。本出願は、一般に本発明の原理に従い、本発明が関連する技術において公知であり、かつ慣行であるような、本開示からの逸脱を含む、本発明のいかなる変形形態、使用、あるいは改変形態も包含することを意図するものである。
以下に、本実施例の特徴を列挙する。
（特徴１）
フェース、前記フェースに対向する後方部、ヒール、前記ヒールに対向するトウ、前記フェースと前記後方部と前記ヒールと前記トウとの間に延在するクラウン表面を有するクラウン、および前記クラウンに対向し、前記フェースと前記後方部と前記ヒールと前記トウとの間に延在するソール表面を有するソールであって、前記クラウンの前記表面上の最高点が頂点を画定する、前記ソールと、
前記クラウンの前記表面から突出する複数のクラウン乱流部であって、各隣接対のクラウン乱流部は、それぞれ独立し相互に離間されることにより、前記隣接対のクラウン乱流部間にスペースを画定し、各クラウン乱流部は、前記ヒールと前記トウとの間において延在して幅を画定し、前記フェースと前記後方部との間において延在して長さを画定する、前記複数のクラウン乱流部と、を備え、
前記長さは、前記幅よりも実質的に大きく、
少なくとも１つのクラウン乱流部の少なくとも一部分は、前記フェースと前記頂点との間に位置し、
各隣接する一対のクラウン乱流部間の前記スペースは、前記スペースを画定する前記隣接する一対のクラウン乱流部のそれぞれの前記幅よりも実質的に大きい、ゴルフクラブヘッド。
（特徴２）
前記複数の乱流部は、フェースに対して、ほぼ第１の方向に配向された第１の複数の乱流部と、前記フェースに対して前記第１の方向とは異なるほぼ第２の方向に配向された第２の複数の乱流部とを備える、特徴１に記載のゴルフクラブ。
（特徴３）
前記複数の乱流部は、前記フェースに対してほぼ同一方向に配向される、特徴１に記載のゴルフクラブ。
（特徴４）
各乱流部は、前記フェースに対して、ほぼ第１の方向に配向され、隣接する乱流部は、前記フェースに対して前記第１の方向とは異なるほぼ第２の方向に配向される、特徴１に記載のゴルフクラブ。
（特徴５）
各乱流部の前記長さは、前記フェースに対して０°超かつ９０°未満の角度で配向される、特徴１に記載のゴルフクラブ。
（特徴６）
各乱流部の前記長さは、前記フェースに対して約２０°〜約７０°の角度で配向される、特徴１に記載のゴルフクラブ。
（特徴７）
各隣接対の乱流部間の前記スペースは、前記クラウンの前記表面の一部により画定される、特徴１に記載のゴルフクラブ。
（特徴８）
前記ソール表面上に配設された複数のソール乱流部をさらに備える、特徴１に記載のゴルフクラブヘッド。
（特徴９）
前記ソール乱流部はそれぞれ、幅および前記幅よりも実質的に大きな長さを有する前記ソール表面中の溝によって画定される、特徴８に記載のゴルフクラブヘッド。
（特徴１０）
前記ソール乱流部の中の少なくとも１つは、前記ヒールと前記フェースの中心から前記後方部にかけて延在する正中線との間の前記ソール表面の一部分に配置される、特徴８に記載のゴルフクラブヘッド。
（特徴１１）
前記少なくとも１つのソール乱流部は、前記ヒールの付近に位置し、ほぼ前記トウの方向に第２の端部まで延在する、第１の端部を有する、特徴１０に記載のゴルフクラブヘッド。
（特徴１２）
前記ソール乱流部の中の少なくとも１つは、前記トウと前記フェースの中心から前記後方部にかけて延在する正中線との間の前記ソール表面の一部分に配置される、特徴８に記載のゴルフクラブヘッド。
（特徴１３）
前記少なくとも１つのソール乱流部は、前記フェースまたは前記トウの付近に位置し、ほぼ前記トウの方向に第２の端部まで延在する、第１の端部を有する、特徴１２に記載のゴルフクラブヘッド。
（特徴１４）
フェース、前記フェースに対向する後方部、ヒール、前記ヒールに対向するトウ、前記フェースと前記後方部と前記ヒールと前記トウとの間において延在するクラウン表面を有するクラウン、および前記クラウンに対向し、前記フェースと前記後方部と前記ヒールと前記トウとの間に延在するソール表面を有するソールと、
前記ヒールと前記フェースの中心から前記後方部まで延在する正中線との間の前記ソール表面の一部分に配設された溝により画定される、第１の複数のソール乱流部であって、前記第１の複数のソール乱流部の中の少なくとも１つのソール乱流部は、前記ヒールの付近からほぼ前記トウに向かう方向に延在する、前記第１の複数のソール乱流部と、
前記トウと前記ソール表面上の正中線との間の前記ソール表面の一部分に配設された溝により画定される、第２の複数のソール乱流部であって、前記第２の複数のソール乱流部の中の少なくとも１つのソール乱流部は、前記フェースまたは前記トウの付近からほぼ前記後方部に向かう方向に延在する、前記第２の複数のソール乱流部と
を備える、ゴルフクラブヘッド。
（特徴１５）
前記クラウン上に配設された複数のクラウン乱流部をさらに備える、特徴１４に記載のゴルフクラブヘッド。
（特徴１６）
少なくとも１つのクラウン乱流部の少なくとも一部分が、前記フェースと前記クラウンの前記表面上の最高点により画定される頂点との間に配置される、特徴１５に記載のゴルフクラブヘッド。
（特徴１７）
各隣接対のクラウン乱流部が、それぞれ独立し相互に離間されることにより、前記隣接対のクラウン乱流部間にスペースを画定し、各スペースは、前記スペースを画定する前記隣接対のクラウン乱流部のそれぞれの幅よりも実質的に大きい、特徴１５に記載のゴルフクラブヘッド。
（特徴１８）
前記複数の第１のソール乱流部のそれぞれは、第１の端部および第２の端部を備え、前記第１の端部は、前記ヒールと同一の一般的方向に延在する線を画定する、特徴１４に記載のゴルフクラブヘッド。
（特徴１９）
前記第１の複数のソール乱流部または前記第２の複数のソール乱流部の中の少なくとも１つのソール乱流部の幅は、前記少なくとも１つのソール乱流部の長さに沿って変化する、特徴１４に記載のゴルフクラブヘッド。
（特徴２０）
前記第１の複数のソール乱流部または前記第２の複数のソール乱流部の中の少なくとも２つのソール乱流部の長さが異なる、特徴１４に記載のゴルフクラブヘッド。
（特徴２１）
前記複数の第１のソール乱流部または前記複数の第２のソール乱流部の中の少なくとも２つのソール乱流部は、ほぼ平行である、特徴１４に記載のゴルフクラブヘッド。
（特徴２２）
前記複数の第１のソール乱流部または前記複数の第２のソール乱流部の中の少なくとも２つのソール乱流部は、ほぼ非平行である、特徴１４に記載のゴルフクラブヘッド。
（特徴２３）
前記複数の第１のソール乱流部の長さは、前記ヒールから前記トウにかけて延在する方向に漸増する、特徴１４に記載のゴルフクラブヘッド。
（特徴２４）
前記複数の第２のソール乱流部の長さは、前記フェースまたは前記トウから前記後方部にかけて延在する方向に漸増する、特徴１４に記載のゴルフクラブヘッド。
（特徴２５）
クラブヘッド上に乱流部を設けるための方法であって、
フェース、前記フェースに対向する後方部、ヒール、前記ヒールに対向するトウ、前記フェースと前記後方部と前記ヒールと前記トウとの間において延在するクラウン表面を有するクラウン、および前記クラウンに対向し、前記フェースと前記後方部と前記ヒールと前記トウとの間に延在するソール表面を有するソールを備えるクラブヘッドを準備するステップであって、前記クラウンの前記表面上の最高点が頂点を画定する、ステップと、
前記クラウンの前記表面から突出する複数のクラウン乱流部を形成するステップであって、各隣接する一対のクラウン乱流部が、それぞれ独立し相互に離間されることにより、前記隣接対のクラウン乱流部間にスペースを画定し、各クラウン乱流部は、前記ヒールと前記トウとの間において延在して幅を画定し、前記フェースと前記後方部との間において延在して長さを画定する、ステップと、を含み、
前記長さは、前記幅よりも実質的に大きく、
少なくとも１つのクラウン乱流部の少なくとも一部分が、前記フェースと前記頂点との間に位置し、
各隣接する一対のクラウン乱流部間の前記スペースは、前記スペースを画定する前記隣接する一対のクラウン乱流部のそれぞれの前記幅よりも実質的に大きい、方法。
（特徴２６）
前記複数のクラウン乱流部を形成する前記ステップは、前記クラブヘッドおよび前記複数の乱流部を共に形成するステップを含む、特徴２５に記載の方法。
（特徴２７）
前記複数のクラウン乱流部を形成する前記ステップは、前記クラウン上の前記複数のクラウン乱流部を装着するステップを含む、特徴２５に記載の方法。
（特徴２８）
前記ソール上に、第１の複数のソール乱流部を形成するステップをさらに含み、前記第１の複数のソール乱流部は、前記ヒールと前記フェースの中心から前記後方部にかけて延在する正中線との間の前記ソール表面の一部分に配設された溝によって画定され、前記第１の複数のソール乱流部の中の少なくとも１つのソール乱流部は、前記ヒールの付近からほぼ前記トウに向かう方向に延在する、特徴２５に記載の方法。
（特徴２９）
前記ソール上に、第２の複数のソール乱流部を形成するステップをさらに含み、前記第２の複数のソール乱流部は、前記トウと前記ソール表面上の前記正中線との間の前記ソール表面の一部分に配設された溝によって画定され、前記第２の複数のソール乱流部の中の少なくとも１つのソール乱流部は、前記フェースまたは前記トウの付近からほぼ前記後方部に向かう方向に延在する、特徴２５に記載の方法。
【外国語明細書】
2019111369000001.pdf
2019111369000002.pdf
2019111369000003.pdf
2019111369000004.pdf